(57)【要約】【課題】本発明は省電力制御コンセントとワイヤレスの電源検知制御器を含むワイヤレス制御省電力装置を提供する。【解決手段】省電力制御コンセントは、主コンセントと少なくとも一つの被制御コンセントを有し、並びに、ワイヤレスの電源検知制御器を収納することができる収納溝を有する。ワイヤレスの電源検知制御器は外部ホストに接続することによって、外部ホストの稼動状況を検知することができる。ワイヤレスの電源検知制御器は、外部ホストが起動する時、省電力制御コンセントの被制御コンセントの導通を制御し、又は、外部ホストがシャットダウンする時、省電力制御コンセントの被制御コンセントの電源切断を制御し、さらには、省電力制御コンセントのコンセントを制御し、ワイヤレスマスタースレーブ連動の機能を達成する。【選択図】図４
2010157485.tif 000002
【特許請求の範囲】
【請求項１】
主コンセント及び少なくとも一つの被制御コンセントを有するケース、該ケース内に配置された、少なくとも通信モジュール及びマイクロプロセッサからなり、ワイヤレスの電源検知制御器と通信接続することのできる省電力型コンセントであって、
前記ケースが、前記ワイヤレスの電源検知制御器を収容するための収納溝を有するマスタースレーブ式連動コンセントのケースであり、
前記通信モジュールが前記ワイヤレスの電源検知制御器からワイヤレス制御信号を受信する通信モジュールであり、
前記マイクロプロセッサが、前記通信モジュールと前記少なくとも一つの被制御コンセントにカップリングし、前記ワイヤレス制御信号に基づいて、前記少なくとも一つの被制御コンセントに対する給電又は電源切断の制御を行うことのできるマイクロプロセッサであることを特徴とする、ワイヤレス制御省電力型コンセント。
【請求項２】
更に、電源変換器、充電ユニット、及び信号出力インターフェースポートを有するワイヤレス制御省電力型コンセントであって、
前記電源変換器が、前記マイクロプロセッサにカップリングし、交流を直流に変換し、変換された該直流を前記マイクロプロセッサに送る変換器であり、
前記充電ユニットが、前記電源変換器にカップリングし、前記直流を受けて充電電流を出力するユニットであり、
前記信号出力インターフェースポートが、前記充電ユニットにカップリングし、前記充電電流を受けることを特徴とする、請求項１に記載されたワイヤレス制御省電力型コンセント。
【請求項３】
少なくとも、信号出力インターフェースポート、電源検知ユニット及び通信処理ユニットを有し、請求項１又は２に記載されたワイヤレス制御省電力型コンセントに通信接続されるワイヤレスの電源検知制御器であって、
前記信号出力インターフェースポートが、前記ワイヤレスの電源検知制御器を外部ホストに接続させることができるポートであり、
前記電源検知ユニットが、前記信号出力インターフェースポートにカップリングし、前記信号出力インターフェースポートによって前記外部ホストが起動しているかどうかを検知して検知信号を出力するユニットであり、
前記通信処理ユニットが、前記電源検知ユニットにカップリングし、前記検知信号を受信し、受信した該検知信号に基づいて前記ワイヤレス制御型コンセントにワイヤレス制御信号を出力することを特徴とする、ワイヤレスの電源検知制御器。
【請求項４】
前記信号出力接続ポートと前記通信処理ユニットにカップリングするエネルギー切替ユニットを更に有すると共に、該エネルギー切替ユニットが、前記信号出力接続ポートから充電電流を受け、前記検知信号に基づいて、受け取った充電電流と電池電流を選択的に出力することにより、稼動電流を前記通信処理ユニットに提供する切替ユニットであり、
前記通信処理ユニットが、指示ユニットと操作ユニットに更にカップリングすると共に、（１）低電力信号を前記指示ユニットに出力し、（２）前記操作ユニットから第一制御指令を受信して該第一制御指令に基づいて前記ワヤレス制御省電力型コンセントを制御し、（３）前記操作ユニットから第二制御指令を受信して該第二制御指令に基づいて前記ワイヤレス制御信号の出力を制御し、（４）前記操作ユニットから定時制御指令を受信して該定時制御指令に基づいて前記省電力制御コンセントを制御する機能を有することを特徴とする、請求項３に記載されたワイヤレスの電源検知制御器。
【請求項５】
請求項１又は２に記載されたワイヤレス制御省電力型コンセント及び請求項３又は４に記載されたワイヤレスの電源検知制御器を含むワイヤレス制御省電力装置。
【請求項６】
前記ワイヤレスの電源検知制御器が、前記ワイヤレス制御省電力型コンセントに設けられた前記ワイヤレスの電源検知制御器を収納するための収納溝に、取り外し可能に固定されてなることを特徴とする、請求項５に記載されたワイヤレス制御省電力装置。
【発明の詳細な説明】
【技術分野】
【０００１】
本発明はワイヤレス制御省電力型コンセントに関し、特にワイヤレス通信技術を利用してマスタースレーブ式連動コンセントのオン・オフを遠隔からワイヤレスで制御することのできるワイヤレス制御省電力型コンセント、該コンセントを稼働させるためのワイヤレスの電源検知制御器、及び、該ワイヤレスの電源検知制御器を前記コンセントに装着してなるワイヤレス制御省電力装置に関する。
【背景技術】
【０００２】
近年、人々は、使用する電気機器の便利性、安全性、及び節約性を、日増しに重要視するようになってきている。従って、延長コードの使用も年々増加していて、現在市場の延長線付きコンセントには多くの種類があり、単一スイッチ制御延長コード、個別スイッチ制御延長コード、及びワイヤレスリモートコントロール方式制御延長コード等がある。
【０００３】
図１は、従来の単一スイッチ制御延長コードの外観図である。単一スイッチ制御延長コード１（略称：連動制御方法）は、プラグ１０、延長コード１２及び本体１４を有し、該本体１４上に多数のコンセント１４２と切替スイッチ１４４を有する。本体１４上の全てのコンセント１４２は、切替スイッチ１４４の制御を受ける。切替スイッチ１４４がオン（ｔｕｒｎ  ｏｎ）になった時、交流電流がプラグ１０から導入され、延長コード１２と導通した切替スイッチ１４４を通って各コンセント１４２へ送られる。これによって、各種の電気装置を使用することができる。しかし、使用者からみると、単一スイッチ制御延長コード１を使用しても、使用の安全性と省電力を達成することはできない。
【０００４】
そして、市場ではワイヤレスリモートコントロール方式制御延長コードが開発されている。図２は、従来のワイヤレスリモートコントロール方式制御延長コードの外観図である。ワイヤレスコントロール方式制御延長コードは、受信器３０を有し、該受信器３０は、遠隔から発信された制御信号Ｓ１を受信するのに用いられる。それから、延長コード３上のコンセント３２は、制御信号Ｓ１の制御を受け、導通したり導通しなかったりする。このように、延長コード３は、コンセント３２上の電気機器に給電するかどうかを制御することができる。しかしながら、前述した延長コード３は、電気機器に給電するかどうかを制御できるだけであり、ワイヤレス制御のマスタースレーブ式連動コンセントの作動方式を達成することはできず、省電力の機能を達せられない。
【０００５】
そこで、シリアル制御バスを有する電源コンセント制御装置が提案されている（特許文献１）。この装置は、シリアル制御バスによって電子装置の稼動状態を検知し、又、電子装置の稼動状態により、シリアル制御バスを有する電源コンセント制御装置上の電源を入れ又は切断する。
【０００６】
しかしながらこの場合には、シリアル制御バスを利用して有線（ｗｉｒｅ）方式で電子装置の稼動状態の検知を行っているため、使用上の制限を招いてしまう。上記特許文献１には、ワイヤレス（ｗｉｒｅｌｅｓｓ）方式を用いて同様の目的を達成できると記載されているものの、明細書内には、ワイヤレス出力の目的を達成するための関連技術の内容が開示されていないため、この領域に熟知した技術者がその技術を理解することも、具体的に実施することもできない。更に、このシリアル制御バスは電子装置稼動状態の信号の出力しか行えず、電源コンセント制御装置上のコンセントのオン／オフ制御を行うことはできない。
【先行技術文献】
【特許文献】
【０００７】
【特許文献１】台湾特許第Ｍ３０４８１７号明細書
【発明の概要】
【発明が解決しようとする課題】
【０００８】
したがって本発明の目的は、ワイヤレス通信技術を利用して遠隔からワイヤレスで制御し省電力の機能を達成することができる、ワイヤレス制御省電力型コンセントを提供することにある。
【課題を解決するための手段】
【０００９】
本発明のワイヤレス制御省電力型コンセントは、省電力制御コンセントとワイヤレスの電源検知制御器を組合わせた装置であり、前記省電力制御コンセントは、主コンセント（Ｍａｓｔｅｒ）と少なくとも一つの被制御コンセント（Ｓｌａｖｅ）を有し、前記ワイヤレスの電源検知制御器は、ワイヤレス通信技術を利用して前記省電力制御コンセントを遠隔から制御し、それによりマスタースレーブ式連動コンセント（ｍａｓｔｅｒ／ｓｌａｖｅ  ｏｕｔｌｅｔ）の動作を可能にする。
即ち本発明は、主コンセント及び少なくとも一つの被制御コンセントを有するケース、該ケース内に配置された、少なくとも通信モジュール及びマイクロプロセッサからなり、ワイヤレスの電源検知制御器と通信接続することのできる省電力型コンセントであって、前記ケースが、前記ワイヤレスの電源検知制御器を収容するための収納溝を有するマスタースレーブ式連動コンセントのケースであり、
前記通信モジュールが前記ワイヤレスの電源検知制御器からワイヤレス制御信号を受信する通信モジュールであり、
前記マイクロプロセッサが、前記通信モジュールと前記少なくとも一つの被制御コンセントにカップリングし、前記ワイヤレス制御信号に基づいて、前記少なくとも一つの被制御コンセントに対する給電又は電源切断の制御を行うことのできるマイクロプロセッサであることを特徴とする、ワイヤレス制御省電力型コンセント、該コンセントを稼働させるためのワイヤレスの電源検知制御器、及び、該ワイヤレスの電源検知制御器と前記コンセントとを組合わせてなるワイヤレス制御省電力装置である。
【発明の効果】
【００１０】
本発明のワイヤレス制御省電力装置は、利便性、安全性、及び節約性等の問題を解決することができると同時に、スタンドバイパワー仕様に対する要求を達成することができるという効果を奏する。
【図面の簡単な説明】
【００１１】
【図１】従来の単一スイッチ制御延長コードの外観図である。
【図２】従来のワイヤレスリモートコントロール式制御延長コードの外観図である。
【図３】本発明のワイヤレス制御省電力型コンセントの外観図である。
【図４】本発明のワイヤレス制御省電力型コンセントに対応する電気回路のブロック図である。
【図５】本発明のワイヤレス電源検知制御器に対応する電気回路のブロック図である。
【図６】本発明の他の応用概略図である。
【発明を実施するための形態】
【００１２】
本発明のワイヤレス制御省電力型コンセント（以下、単に「省電力型コンセント」とする。）は、ワイヤレスの電源検知制御器に通信接続されるコンセントであって、ケース、通信モジュール、及びマイクロプロセッサを含む。上記ケースは、主コンセントと少なくとも一つの被制御コンセントを有する。通信モジュールは該ケース内に設置され、ワイヤレスの電源検知制御器からワイヤレス制御信号を受信する。マイクロプロセッサはケース内に設置され、通信モジュールと少なくとも一つの被制御コンセントにカップリングし、ワイヤレス制御信号に基いて、前記少なくとも一つの被制御コンセントの同時的給電又は同時的電源切断を制御する。
【００１３】
本発明のワイヤレスの電源検知制御器は、本発明の省電力型コンセントに通信接続される制御器であり、信号出力接続ポート、電源検知ユニット及び通信処理ユニットを含む。上記信号出力接続ポートは、ワイヤレスの電源検知制御器が外部ホストに接続するのに用いられる。電源検知ユニットは、前記信号出力接続ポートにカップリングし、該信号出力接続ポートを介して外部ホストが起動しているかどうかを検知し、検知信号を出力する。通信処理ユニットは、前記電源検知ユニットにカップリングして検知信号を受信し、受信した検知信号に基づいて、前記ワイヤレス制御信号を本発明の省電力型コンセントに出力する。
【００１４】
具体的には、外部ホストが起動する時、通信処理ユニットは、検知信号に基づいて前記ワイヤレス制御信号を本発明の省電力型コンセントに出力する。この時、ワイヤレス制御省電力型コンセント内のマイクロプロセッサは、前記ワイヤレス制御信号に基づいて、前記少なくとも一つの被制御コンセントの同時給電を制御するのに用いられる。反対に、外部ホストがシャットダウンする時、通信処理ユニットは、検知信号に基づいて前記ワイヤレス制御信号を本発明の省電力型コンセントに出力する。この時、本発明の省電力型コンセント内のマイクロプロセッサは、前記ワイヤレス制御信号に基づいて前記少なくとも一つの被制御コンセントの同時電源切断を制御するのに用いられる。以上のようにして、マスタースレーブ式連動コンセント（ｍａｓｔｅｒ／ｓｌａｖｅ  ｏｕｔｌｅｔ）の動作を達成することができる。
【００１５】
このように、本発明が提供するワイヤレス制御省電力装置は、利便性、安全性、及び節約性等の問題を解決することができ、同時に、スタンバイパワー（Ｓｔａｎｄｂｙ  Ｐｏｗｅｒ）仕様の要求も達成することができる。
【００１６】
以上の記述と以下の詳細説明は全て、本発明の性質を示し、本発明の請求項を更に説明するためのものである。本発明のその他の目的と利点に関しては、後述する図面に基づく説明において記載する。
【実施例】
【００１７】
図３は本発明のワイヤレス制御省電力装置４の外観図である。本発明のワイヤレス制御省電力装置４は、本発明の省電力型コンセント４０と本発明のワイヤレス電源検知制御器４２を含む。上記省電力型コンセント４０は、収納溝４０３を有し、該収納溝４０３は本発明のワイヤレス電源検知制御器４２を収納するのに用いられる。ワイヤレスの電源検知制御器４２は、抜き挿し方式又はその他の類似の方式によって、省電力型コンセント４０内に収納されるか、又は省電力型コンセント４０と分離して使用される。ワイヤレスの電源検知制御器４２が省電力型コンセント４０に収納された場合には、省電力型コンセント４０はワイヤレスの電源検知制御器４２に対して充電を行うことができ、又、ワイヤレスの電源検知制御器４２は省電力制御コンセント４０の電源を検知するので、ワイヤレスの電源検知制御器４２は直接本発明の省電力型コンセント４０上の被制御コンセント４００を制御することができる。
【００１８】
本発明のワイヤレスの電源検知制御器４２が省電力制御コンセント４０と分離して使用される場合には、ワイヤレスの電源検知制御器４２を収容装置９内に置いて、本発明の省電力型コンセント４０上の被制御コンセント４００をワイヤレス方式で制御することができる。また、本発明の省電力型コンセント４０と分離された本発明のワイヤレス電源検知制御器４２は、例えばノート型パソコンのような外部ホスト５に挿して接続することもでき、これによって前記外部ホスト５の稼動状況を検知することができる。ここで、外部ホスト５の電源は本発明の省電力型コンセント４０上の主コンセント４０２から来ており、前記主コンセント４０２は固定電源コンセント（ａｌｗａｙｓ  ｏｎ  ｏｕｔｌｅｔ）である。
【００１９】
外部ホスト５を起動する時、外部ホスト５に挿して接続した本発明のワイヤレス電源検知制御器４２は、外部ホスト５の電源を検知し、起動状況を表すワイヤレス制御信号Ｓ２を本発明の省電力型コンセント４０に出力することによって、省電力型コンセント４０上の被制御コンセント４００の導通を制御することができるだけでなく、被制御コンセント４００上に挿設した、例えばスピーカー６、プリンター７及びスキャナー８等のようなパソコン周辺機器に電源を提供することができる。反対に、外部ホスト５をシャットダウンする場合には、本発明のワイヤレス電源検知制御器４２は、外部ホスト５の電源が切れるのを検知し、シャットダウン状況を表すワイヤレス制御信号Ｓ２を省電力型コンセント４０に出力することによって、本発明の省電力型コンセント４０上の被制御コンセント４００の電源を切断することができ、さらには、被制御コンセント４００上に挿設した、例えばスピーカー６、プリンター７及びスキャナー８等のようなパソコン周辺機器の電源を切断することができる。
【００２０】
このように、本発明の省電力型コンセント４０の主コンセント４０２上に挿設した外部ホスト５がシャットダウンする時、省電力型コンセント４０の被制御コンセント４００上に挿設したパソコン周辺機器も、それに続いて電源が切断される。従って、本発明のワイヤレス制御省電力装置４は、本発明のワイヤレス電源検知制御器４２と本発明の省電力型コンセント４０を組み合わせることによって使用することができ、これによって、マスタースレーブ式連動コンセント（ｍａｓｔｅｒ／ｓｌａｖｅ  ｏｕｔｌｅｔ）の動作を達成することができる。
【００２１】
また、外部ホスト５が内蔵電池の設備（例えばノート型パソコン）を有する場合には、外部ホスト５は、本発明の省電力型コンセント４０上の主コンセント４０２を使用しなくても良い。この場合、本発明のワイヤレス電源検知制御器４２は、外部ホスト５が稼動状況にあるかどうかを検知することにより、本発明の省電力型コンセント４０における被制御コンセント４００上の設備をワイヤレス制御することができる。
【００２２】
図３と合わせて、図４を参考にされたい。図４は、本発明の省電力型コンセントに対応する電気回路のブロック図である。本発明の省電力型コンセント４０は、ワイヤレス通信方式で本発明のワイヤレスの電源検知制御器４２に接続することができる。本発明の省電力型コンセント４０はケース４０１を含み、その上に主コンセント４０２と少なくとも一つの被制御コンセント４００を有する。同時に、ケース４０１内に、通信モジュール４０４とマイクロプロセッサ４０５を更に含み、その内、前記通信モジュール４０４は、本発明のワイヤレス電源検知制御器４２からワイヤレス制御信号Ｓ２を受信するのに用いられる。前記マイクロプロセッサ４０５は、前記通信モジュール４０４と少なくとも一つの被制御コンセント４００にカップリングし、前記ワイヤレス制御信号Ｓ２に基づいて、前記少なくとも一つの被制御コンセント４００の同時的給電又は同時的電源切断を制御する。前述した通信モジュール４０４は、ワイヤレス周波数通信モジュール、ブルートゥース通信モジュール、又は赤外線通信モジュールである。
【００２３】
図３及び図４に示すように、本発明の省電力型コンセント４０のケース４０１内に、電源変換器４０６、充電ユニット４０７、及び信号出力インターフェースポート４０８を更に含んでもよい。電源変換器４０６は、マイクロプロセッサ４０５と充電ユニット４０７にカップリングし、交流ＡＣを直流ＤＣに変換して、変換された直流ＤＣをマイクロプロセッサ４０５と充電ユニット４０７に送る。充電ユニット４０７は、直流ＤＣを受け、受け取った直流ＤＣに基づいて、充電ユニット４０７にカップリングした信号出力インターフェースポート４０８に、充電電流ＶＣを出力する。前述の充電電流ＶＣは、ＵＳＢインターフェースの電力規約、又はＲＳ−２３２インターフェース、ＲＳ−４８５、ＲＳ−４２２、及びＩＥＥＥ−１３９４インターフェース等、同様の機能を有するその他のインターフェースの電力規約に適合し、本発明の省電力型コンセント４０に収容した本発明のワイヤレス電源検知制御器４２に対して充電を行う。
【００２４】
図３と合わせて、図５を参考されたい。図５は、本発明のワイヤレス電源検知制御器４２に対応する電気回路のブロック図である。本発明のワイヤレス電源検知制御器４２は、ワイヤレス通信方式で本発明の省電力型コンセント４０に接続することができる。この場合には、本発明のワイヤレス電源検知制御器４２は、信号出力接続ポート４２０、電源検知ユニット４２２及び通信処理ユニット４２４を含む。該通信処理ユニット４２４はワイヤレス周波数通信モジュール、ブルートゥース通信モジュール、又は赤外線通信モジュールとにすることができる。
【００２５】
この場合、信号出力接続ポート４２０は、本発明のワイヤレス電源検知制御器４２を外部ホスト５の信号出力インターフェースポート（図示せず）に接続できるようにするために用いられる。前記電源検知ユニット４２２は信号出力接続ポート４２０にカップリングし、該信号出力接続ポート４２０によって、外部ホスト５の、例えば起動又はシャットダウンといったような稼動状態を検知し、検知した外部ホスト５の稼動状態に基づいて、さらに検知信号ＳＤを出力する。この検知信号ＳＤには、起動を表す信号とシャットダウンを表す信号が含まれる。通信処理ユニット４２４は、電源検知ユニット４２２にカップリングして前記検知信号ＳＤを受信し、受信した検知信号ＳＤに基づくワイヤレス制御信号Ｓ２を出力する。
【００２６】
図３と図５に示すように、本発明のワイヤレス電源検知制御器４２は、エネルギー切替ユニット４２１、指示ユニット４２３、操作ユニット４２５、及び信号出力接続ポート４２０を更に含んでもよい。この場合、エネルギー切替ユニット４２１は、信号出力接続ポート４２０と通信処理ユニット４２４にカップリングし、信号出力接続ポート４２０によって充電電流ＶＣを受ける。又、エネルギー切替ユニット４２１は、検知信号ＳＤに基づいて、前記充電電流ＶＣと電池電流（図示せず）を選択的に出力し、稼動電力ＶＤＤを通信処理ユニット４２４に供給することができる。前述の充電電流ＶＣは、ＵＳＢインターフェース電力規約、又はＲＳ−２３２インターフェース、ＲＳ−４８５、ＲＳ−４２２、及びＩＥＥＥ−１３９４インターフェース等の、同様の機能を有するその他のインターフェース電力規約に適合しており、信号出力接続ポート４２０を外部ホスト５又は本発明の省電力型コンセント４０の信号出力インターフェースポート４０８にカップリングすることによって（図４参照）、外部ホスト５又は省電力型コンセント４０から取得できる。
【００２７】
また、本発明のワイヤレス電源検知制御器４２のエネルギー切替ユニット４２１が低電力を示す時、通信処理ユニット４２４は、低すぎる稼動電力ＶＤＤに基づき、低電力信号Ｓ４を指示ユニット４２３に出力する。更に、指示ユニット４２３は、低電力信号Ｓ４に基づいて発光し、本発明のワイヤレス電源検知制御器４２が低電力の状態にあることを指示することができる。前述の指示ユニット４２３は、発光ダイオード、ＬＥＤ又はその他同様の機能を有する素子とすることができる。
【００２８】
図３と図５に示すように、操作ユニット４２５は通信処理ユニット４２４にカップリングする。前記操作ユニット４２５は、第一制御指令、第二制御指令、又は定時制御指令を通信処理ユニット４２４に出力することができ、これによって通信処理ユニット４２４の稼動パターンを設定することができる。該稼動パターンは、コンセント制御パターン、マスタースレーブ式コンセント制御パターン、手動制御パターン、及びコンセント定時制御パターンを含む。
【００２９】
通信処理ユニット４２４は、第一制御指令に基づいてコンセント制御パターンを実行する。通信処理ユニット４２４がコンセント制御パターンを実行する時、ワイヤレス制御信号Ｓ２を出力することにより、本発明の省電力型コンセント４０の被制御コンセント４００を制御することができる。また、通信処理ユニット４２４は、第二制御指令に基づいて、マスタースレーブ式コンセント制御パターン又は手動制御パターンを実行する。通信処理ユニット４２４がマスタースレーブ式コンセント制御パターンを実行する時、本発明のワイヤレス電源検知制御器４２は、外部ホスト５のシャットダウンに従ってワイヤレス制御信号Ｓ２を自動出力することにより、本発明の省電力型コンセント４０上における被制御コンセント４００の電源の切断を制御することができる。又、外部ホスト５の起動に従ってワイヤレス制御信号Ｓ２を自動出力することにより、省電力制御コンセント４０上の被制御コンセント４００の導通を制御することができる。更に、通信処理ユニット４２４が第二制御指令に基づいて手動制御パターンを実行する場合には、本発明のワイヤレス電源検知制御器４２は、手動方式によってワイヤレス制御信号Ｓ２を出力することによって、本発明の省電力型コンセント４０上の被制御コンセント４００を制御することができる。
【００３０】
同様に、通信処理ユニット４２４は、定時制御指令に基づいてコンセント定時制御パターンを実行する。通信処理ユニット４２４がコンセント定時制御パターンを実行する場合には、本発明のワイヤレス電源検知制御器４２は、外部ホスト５のシャットダウンに従って、設定した時間後にワイヤレス制御信号Ｓ２を自動出力することによって、本発明の省電力型コンセント４０上にある被制御コンセント４００の電源を切断することができる。
【００３１】
更に、図６を参考にされたい。図６は、本発明の他の応用外略図である。本発明のワイヤレス電源検知制御器４２ａを収容裝置９ａ内に置き、ワイヤレス方式で、多数の本発明の省電力型コンセント４０ａ、４０ｂ…４０ｎ上の被制御コンセント（図示せず）を制御することができる。これによって、拡大した目的に対して、一対多数というマスタースレーブ式連動コンセント（ｍａｓｔｅｒ／ｓｌａｖｅ  ｏｕｔｌｅｔ）の動作を達成することができる。
【００３２】
同様に、本発明のワイヤレス電源検知制御器４２ａは、例えばノート型パソコンのような外部ホスト５ａに挿して接続することもでき、前記外部ホスト５ａの稼動状態を検知するのに用いられる。外部ホスト５ａが起動する場合には、外部ホスト５ａに挿して接続したワイヤレスの電源検知制御器４２ａは、外部ホスト５ａの電源を検知し、さらに本発明の省電力型コンセント４０ａ、４０ｂ…４０ｎ上の被制御コンセントの導通を制御する。反対に、外部ホスト５ａがシャットダウンする場合には、ワイヤレスの電源検知制御器４２ａは、外部ホスト５ａの電源が切れるのを検知し、これにより省電力型コンセント４０ａ上の被制御コンセントの電源を切断する。
【００３３】
このように、本発明のワイヤレス電源検知制御器４２ａは、一対多数というリモートコントロール方式で多数の省電力型コンセント４０ａ、４０ｂ…４０ｎ上の被制御コンセントのオン／オフを制御することができ、又、何組ものマスタースレーブ式連動コンセント（ｍａｓｔｅｒ／ｓｌａｖｅ  ｏｕｔｌｅｔ）の動作を達成することができる。
上述したように、本発明のワイヤレス制御省電力装置は、本発明の省電力型コンセントと本発明のワイヤレス電源検知制御器を整合させた装置であり、この場合、ワイヤレスの電源検知制御器は、外部ホストの稼働状況を検知し、ワイヤレス通信方式を利用して省電力型コンセントに信号を出力するのに用いられる。
このように、外部ホストが起動する時、ワイヤレスの電源検知制御器が起動状況を表すワイヤレス制御信号を省電力型コンセントに出力することにより、省電力型コンセント上の被制御コンセントの導通を同時に制御することができる。反対に、外部ホストがシャットダウンする時、ワイヤレスの電源検知制御器は、省電力型コンセント上の被制御コンセントの同時電源切断を制御し、さらには、マスタースレーブ式連動コンセント（ｍａｓｔｅｒ／ｓｌａｖｅ  ｏｕｔｌｅｔ）の動作を達成することができる。
【００３４】
このように、本発明が提供するワイヤレス制御省電力装置は、利便性、安全性、及び節約性等の問題を解決することができ、同時にスタンバイ  パワー（Ｓｔａｎｄｂｙ  Ｐｏｗｅｒ）仕様要求を達成することができる。
【００３５】
上記内容は本発明の最良の実施例に過ぎず、本発明の特徴を限定するものではない。この領域を熟知している技術者が本発明の領域内で容易に思いつく変更若しくは補正は、全て本発明に含まれるものとする。
【符号の説明】
【００３６】
（従来）
１          単一スイッチ制御延長コード
１０        プラグ
１２        延長コード
１４        本体
１４２      コンセント
１４４      切替スイッチ
３          ワイヤレスリモートコントロール方式制御延長コード
３０        受信器
３２        コンセント
Ｓ１        制御信号
（本発明）
４      ワイヤレス制御省電力装置
４０        ワイヤレス制御省電力型コンセント
４００  被制御コンセント
４０１  ケース
４０２  主コンセント
４０３  収納溝
４０４  通信モジュール
４０５  マイクロプロセッサ
４０６  電源変換器
４０７  充電ユニット
４０８  信号出力インターフェースポート
Ｓ２        ワイヤレス制御信号
ＡＣ        交流
ＤＣ        直流
ＶＣ        充電電流
４２        ワイヤレスの電源検知制御器
４２０      信号出力接続ポート
４２１  エネルギー切替ユニット
４２２  電源検知ユニット
４２３  指示ユニット
４２４      通信処理ユニット
４２５  操作ユニット
ＳＤ        検知信号
ＶＤＤ  稼動電力
５      外部ホスト  
６      スピーカー
７      プリンター
８      スキャナー
【図１】
2010157485.tif 000003
【図２】
2010157485.tif 000004
【図３】
2010157485.tif 000005
【図４】
2010157485.tif 000006
【図５】
2010157485.tif 000007
【図６】
2010157485.tif 000008